(57)【要約】【課題】搬送中に製品から受ける力に対する耐性を高めること。【解決手段】梱包装置は、パレット１０と、パレット１０上に載置され、複数の係合孔２３Ａ〜２３Ｄが形成された板パッド２０と、板パッド２０の上に配置され、それぞれの底面に係合凸部を有する複数の緩衝材３０Ａ〜３０Ｄと、を備え、パレット１０は、板パッド１０と接する上面より下方に複数の位置決め部１５Ａ〜１５Ｄを有し、複数の緩衝材３０Ａ〜３０Ｄそれぞれの係合凸部は、複数の係合孔２３Ａ〜２３Ｄのいずれを貫通して複数の位置決め部１５Ａ〜１５Ｄのいずれかに係合する。【選択図】図１
2019026290.tif 000002
【特許請求の範囲】
【請求項１】
パレットと、
前記パレット上に載置され、複数の係合孔が形成された板パッドと、
前記板パッドの上に配置され、それぞれの底面に係合凸部を有する複数の緩衝材と、を備え、
前記パレットは、前記板パッドと接する上面より下方に複数の位置決め部を有し、
前記複数の緩衝材それぞれの前記係合凸部は、前記複数の係合孔のいずれかを貫通して前記複数の位置決め部のいずれかに係合する、梱包装置。
【請求項２】
パレットと、
前記パレット上に載置され、複数の係合孔が形成された板パッドと、
前記板パッドの上に配置され、それぞれの底面に係合凸部を有する複数の緩衝材と、を備え、
前記パレットは、前記板パッドと接する上面より下方に複数の位置決め部を有し、
前記複数の緩衝材それぞれの前記係合凸部が前記複数の係合孔のいずれかに挿入されることにより、前記複数の緩衝材それぞれが前記複数の位置決め部のいずれかに係合するように前記複数の係合孔の位置が定められた、梱包装置。
【請求項３】
前記複数の位置決め部それぞれは、他の１つの位置決め部と組になり、同一の組を構成する一対の位置決め部それぞれは、対向する少なくとも１つの抑止面を有し、
前記複数の緩衝材それぞれを前記複数の位置決め部のいずれかの前記少なくとも１つの抑止面に当接させるために、前記複数の緩衝材の少なくとも１つを、当該緩衝材が係合する前記位置決め部が有する前記少なくとも１つの抑止面と交差する方向に付勢する付勢手段を、さらに備えた、請求項１または２に記載の梱包装置。
【請求項４】
前記係合凸部は、第１係合凸部と第２係合凸部とを含み、
前記複数の係合孔は、複数の第１係合孔と複数の第２係合孔とを含み、
前記第１係合凸部が前記複数の第１係合孔のいずれかを貫通して前記複数の位置決め部のいずれかに係合し、
前記複数の第１係合孔は、前記複数の緩衝材それぞれの前記第１係合凸部よりもサイズが大きく、
前記付勢手段は、前記複数の緩衝材それぞれの前記第２係合凸部が前記複数の第２係合孔のいずれかに挿入されることにより、前記第２係合凸部を付勢する、請求項３に記載の梱包装置。
【請求項５】
前記複数の第１係合孔それぞれは、前記複数の第２係合孔のいずれかと対になり、
前記複数の第２係合孔それぞれと、当該第２係合孔と対になる前記第１係合孔とは、前記緩衝材が付勢される方向と平行な直線上に配置される、請求項４に記載の梱包装置。
【請求項６】
前記一対の位置決め部にそれぞれ対応する２つの前記第２係合孔と、前記２つの第２係合孔それぞれに対応する２つの前記第１係合孔とは、同一直線上に配置される、請求項５に記載の梱包装置。
【請求項７】
前記付勢手段は、前記一対の位置決め部にそれぞれ対応する一対の前記第２係合孔の少なくとも１つの周縁から、当該第２係合孔に対応する前記位置決め部と反対側に伸びるように前記板パッドに形成されるスリットを含む、請求項４〜６のいずれかに記載の梱包装置。
【請求項８】
前記複数の係合孔は、前記パレットの前記複数の位置決め部に対して相対位置が定められた少なくとも１つの基準係合孔を有する、請求項１〜７のいずれかに記載の梱包装置。
【請求項９】
前記複数の緩衝材は、底面から上方に伸びる側壁を有し、
前記複数の緩衝材それぞれの前記側壁を外側から覆う外装箱を、さらに備えた請求項１〜８のいずれかに記載の梱包装置。
【発明の詳細な説明】
【技術分野】
【０００１】
本発明は、梱包装置に関し、特に、製品をパレットで運搬可能に梱包する梱包装置に関する。
【背景技術】
【０００２】
複写機、プリンター、複合機等の比較的大型の精密機械の輸送用の梱包装置として、特開２０１７−１７１５号公報が知られている。図８は、従来の梱包装置の全体を示す分解斜視図である。図９は、従来の緩衝材の斜視図である。従来の梱包装置は、図８を参照して、パレット１１１と、その上に載置された板パッド１２１と、その上に配置された複数の緩衝材１３１Ａ〜１３１Ｄと、を備え、緩衝材１３１Ａ〜１３１Ｄの上に、製品が載置される。このため、製品の下面の四隅が緩衝材１３１Ａ〜１３１Ｄによって支持される。板パッド１２１は、パレット１１１との相対位置が決定されるように、パレット１１１の位置決め部材１１３Ａ〜１１３Ｄにそれぞれ係合する切り欠き部１２３Ａ〜１２３Ｄが形成されている。図９に示すように、緩衝材１３１Ａ〜１３１Ｄそれぞれは、パレット１１１との相対位置が決定されるように、その下面にパレット１１１の位置決め部材１１３Ａ〜１１３Ｄにそれぞれ係合する係合凹部１３３Ａ〜１３３Ｄが形成されている。また、緩衝材１３１Ａ〜１３１Ｄは、底面から垂直に延びる側壁１３５Ａ〜１３５Ｄを有し、製品が横方向に移動しないように製品を支持することが可能となっている。
【０００３】
特開２０１７−１７１５号公報に記載の梱包装置は、緩衝材１３１Ａ〜１３１Ｄに形成された係合凹部１３３Ａ〜１３３Ｄがパレット１１１の位置決め部材１１３Ａ〜１１３Ｄと係合するので、緩衝材１３１Ａ〜１３１Ｄそれぞれは、それが係合する係合凹部１３３Ａ〜１３３Ｄに向かう方向への移動が制限される。製品を梱包した梱包装置を搬送中に、梱包装置が横方向の力を受ける場合、例えば、製品から緩衝材１３１Ａが位置決め部材１１３Ａに向かう方向の外力を受ける場合がある。この場合、緩衝材１３１Ａはパレット１１１に対して移動することができないために、緩衝材１３１Ａが製品から受ける外力と位置決め部材１１３Ａから受ける抗力とによる剪断力が緩衝材１３１Ａの側壁１３５Ａに加わり、製品を支えきれずに側壁１３５Ａが破損する場合がある。これに備えて、側壁１３５Ａ〜１３５Ｄの厚みを増したり、側壁１３５Ａ〜１３５Ｄにテープを張ったりして補強することにより、側壁１３５Ａ〜１３５Ｄの破断を防止ことができるが、コストアップになるといった問題がある。
【特許文献１】特開２０１７−１７１５号公報
【発明の概要】
【発明が解決しようとする課題】
【０００４】
本発明は、上記した問題点を解決するためになされたもので、この発明の目的の１つは、搬送中に製品から受ける力に対する耐性を高めた梱包装置を提供することである。
【課題を解決するための手段】
【０００５】
上述した目的を達成するためにこの発明のある局面によれば、梱包装置は、パレットと、パレット上に載置され、複数の係合孔が形成された板パッドと、板パッドの上に配置され、それぞれの底面に係合凸部を有する複数の緩衝材と、を備え、パレットは、板パッドと接する上面より下方に複数の位置決め部を有し、複数の緩衝材それぞれの係合凸部は、複数の係合孔のいずれかを貫通して複数の位置決め部のいずれかに係合する。
【０００６】
この局面に従えば、複数の係合凸部それぞれが複数の位置決め部のいずれかに係合するので、複数の緩衝材は係合凸部で板パッドに平行な方向の移動が制限される。係合凸部が緩衝材の底面に設けられるので、緩衝材において、製品から外力を受ける位置と係合凸部との距離をできるだけ大きくして、緩衝材が外力により破損しにくくすることができる。万が一、係合凸部が破損しても緩衝材の他の部分が破損しないので、緩衝機能を維持することができる。その結果、搬送中に製品から受ける力に対する耐性を高めた梱包装置を提供することができる。
【０００７】
この発明の他の局面によれば、梱包装置は、パレットと、パレット上に載置され、複数の係合孔が形成された板パッドと、板パッドの上に配置され、それぞれの底面に係合凸部を有する複数の緩衝材と、を備え、パレットは、板パッドと接する上面より下方に複数の位置決め部を有し、複数の緩衝材それぞれの係合凸部が複数の係合孔のいずれかに挿入されることにより、複数の緩衝材それぞれが複数の位置決め部のいずれかに係合するように複数の係合孔の位置が定められる。
【０００８】
この局面に従えば、複数の緩衝材それぞれが複数の位置決め部のいずれかに係合するように複数の係合孔の位置が定められるので、複数の緩衝材とパレットとの相対位置が適切に決定される。また、複数の緩衝材それぞれの係合凸部が複数の係合孔のいずれかに挿入されることにより、複数の緩衝材それぞれが複数の位置決め部のいずれかに係合するので、複数の緩衝材は、パレットが板パッドと接する上面より下方で板パッドに平行な方向の移動が制限される。このため、緩衝材において、製品から外力を受ける位置と移動が制限される位置との距離をできるだけ大きくして、複数の緩衝材が外力により破損しにくくすることができる。その結果、搬送中に製品から受ける力に対する耐性を高めた梱包装置を提供することができる。
【０００９】
好ましくは、複数の位置決め部それぞれは、他の１つの位置決め部と組になり、同一の組を構成する一対の位置決め部それぞれは、対向する少なくとも１つの抑止面を有し、複数の緩衝材それぞれを複数の位置決め部のいずれかの少なくとも１つの抑止面に当接させるために、複数の緩衝材の少なくとも１つを、当該緩衝材が係合する位置決め部が有する少なくとも１つの抑止面と交差する方向に付勢する付勢手段を、さらに備える。
【００１０】
この局面に従えば、緩衝材が係合する位置決め部が有する抑止面に向かう方向に緩衝材が付勢されるので、一対の位置決め部がそれぞれ有する一対の抑止面それぞれに向かう方向に一対の緩衝材が付勢される。このため、複数の緩衝材とパレットとの相対位置を適切に決定することができる。
【００１１】
好ましくは、係合凸部は、第１係合凸部と第２係合凸部とを含み、複数の係合孔は、複数の第１係合孔と複数の第２係合孔とを含み、第１係合凸部が複数の第１係合孔のいずれかを貫通して複数の位置決め部のいずれかに係合し、複数の第１係合孔は、複数の緩衝材それぞれの第１係合凸部よりもサイズが大きく、付勢手段は、複数の緩衝材それぞれの第２係合凸部が複数の第２係合孔のいずれかに挿入されることにより、第２係合凸部を付勢する。
【００１２】
この局面に従えば、複数の緩衝材それぞれの第２係合凸部が複数の第２係合孔のいずれかに挿入されると、複数の緩衝材と板パッドとの相対位置が決定される。また、第２係合凸部が位置決め部の有する抑止面に向かう方向に付勢されることにより、複数の第１係合孔のいずれかを貫通する第１係合凸部が位置決め部の有する抑止面に当接するので、複数の緩衝材とパレットとの相対位置が決定される。このため、複数の緩衝材によって、パレットと板パッドとの相対位置が定まる。また、第１係合凸部がよりサイズの大きな第１係合孔を貫通するので、板パッドと複数の緩衝材との相対位置が、第１係合凸部による影響を受けることなく第２係合凸部および位置決め部により定まるようにすることができる。その結果、複数の緩衝材を板パッドに位置決めする作業を容易にすることができる。
【００１３】
好ましくは、複数の第１係合孔それぞれは、複数の第２係合孔のいずれかと対になり、複数の第２係合孔それぞれと、当該第２係合孔と対になる第１係合孔とは、緩衝材が付勢される方向と平行な直線上に配置される。
【００１４】
この局面に従えば、同じ緩衝材の第２係合凸部が挿入される第２係合孔と、第１係合凸部が貫通する第１係合孔とは、その緩衝材が付勢される方向と平行な直線上に配置されるので、緩衝材に付勢される力を効率的に利用することができる。
【００１５】
好ましくは、一対の位置決め部にそれぞれ対応する２つの第２係合孔と、２つの第２係合孔それぞれに対応する２つの第１係合孔とは、同一直線上に配置される。
【００１６】
この局面に従えば、偶力が発生しないので、板パッドがパレットに対して回転ズレしないようにすることができる。
【００１７】
好ましくは、付勢手段は、一対の位置決め部にそれぞれ対応する一対の第２係合孔の少なくとも１つの周縁から、当該第２係合孔に対応する位置決め部と反対側に伸びるように板パッドに形成されるスリットを含む。
【００１８】
この局面に従えば、一対の位置決め部にそれぞれが係合する２つの緩衝材それぞれの第２係合凸部が第２係合孔に挿入される段階で、板パッドがスリットの形成された部分で変形するが、板パッドの復元力によって、２つの緩衝材の少なくとも１つの第２係合凸部が２つの位置決め部それぞれの対向する抑止面に向かって付勢されるので、一対の位置決め部にそれぞれが係合する２つの緩衝材を一対の位置決め部それぞれの対向する抑止面に当接させることができる。
【００１９】
好ましくは、複数の係合孔は、パレットの複数の位置決め部に対して相対位置が定められた少なくとも１つの基準係合孔を有する。
【００２０】
この局面に従えば、基準係合孔が複数の位置決め部に対して相対位置が定められるので、基準係合孔を貫通する緩衝材が複数の位置決め部のいずれかと係合することによって、板パッドとパレットとが所定の相対位置になる。このため、板パッド、パレットおよび複数の緩衝材を所定の相対位置にすることができる。
【００２１】
好ましくは、複数の緩衝材は、底面から上方に伸びる側壁を有し、複数の緩衝材それぞれの側壁を外側から覆う外装箱を、さらに備える。
【００２２】
この局面に従えば、複数の緩衝材それぞれの側壁が外側から外装箱により覆われるので、複数の緩衝材の外側への移動を、外装箱によって規制することができる。また、製品から外力を受けて係合凸部が破損しても緩衝材の側壁が破損しないので、緩衝機能を維持することができる。
【図面の簡単な説明】
【００２３】
【図１】本発明の実施形態の１つにおける梱包装置の全体を示す分解斜視図である。
【図２】本実施形態に係る梱包装置の外観を示す斜視図である。
【図３】板パッドの平面図である。
【図４】緩衝材の斜視図である。
【図５】パレット、板パッドおよび４つの緩衝材を組み合わせた状態をパレットの下方から見た図である。
【図６】第３の変形例における板パッドの平面図である。
【図７】第４の変形例における板パッドの平面図である。
【図８】従来の梱包装置の全体を示す分解斜視図である。
【図９】従来の緩衝材の斜視図である。
【発明を実施するための形態】
【００２４】
以下、本発明の実施の形態について図面を参照して説明する。以下の説明では同一の部品には同一の符号を付してある。それらの名称および機能も同じである。したがってそれらについての詳細な説明は繰り返さない。
【００２５】
図１は、本発明の実施形態の１つにおける梱包装置の全体を示す分解斜視図である。図２は、本実施形態に係る梱包装置の外観を示す斜視図である。図１を参照して、本実施形態の梱包装置１は、パレット１０と、パレット１０上に載置された板パッド２０と、板パッド２０の上に配置された４つの緩衝材３０Ａ〜３０Ｄと、外装箱４０と、を備えている。
【００２６】
図１に矢印で示すように、パレット１０の上面に板パッド２０を載置し、その上に４つの緩衝材３０Ａ〜３０Ｄをセットする。４つの緩衝材３０Ａ〜３０Ｄの上に製品１００が置かれると、製品１００の下面の四隅が４つの緩衝材３０Ａ〜３０Ｄによって支持される。この後、下面が開口した段ボール製の外装箱４０が被せられ、製品１００を収容したパレット１０と外装箱４０が一体としてプラスチック製のバンドや紐で固定される。
【００２７】
パレット１０は、木製の板材や角材を組み合わせて作られる一般的なものである。パレット１０は、互いに平行に配置された２つの角材１３Ａおよび角材１３Ｂの上に、６枚の板材１１Ａ〜１１Ｆの両端が固定されている。このため、２つの角材１３Ａおよび１３Ｂと、６枚の板材１１Ａ〜１１Ｆとは直角に交わる。６枚の板材１１Ａ〜１１Ｆは、板材１１Ａと板材１１Ｂとの間が所定の隙間をおいて配置され、板材１１Ｃと板材１１Ｄとの間に所定の隙間をおいて配置される。
【００２８】
板パッド２０は、段ボールを打ち抜き加工して形成される。なお、板パッド２０は、例えばプラスチックシート等で形成してもよい。４つの緩衝材３０Ａ〜３０Ｄは、発泡スチロールの成形品であり、製品１００の底部の四隅に当接して支持するように、四隅の形状に合わせてそれぞれ形成されている。
【００２９】
図３は、板パッドの平面図である。図３を参照して、板パッド２０は、４つの緩衝材３０Ａ〜３０Ｄそれぞれに対応する４つの第１係合孔２３Ａ〜２３Ｄおよび４つの第２係合孔２１Ａ〜２１Ｄが形成されている。４つの第１係合孔２３Ａ〜２３Ｄそれぞれは、４つの第２係合孔２１Ａ〜２１Ｄのいずれかと組になる。ここでは、第１係合孔２３Ａと第２係合孔２１Ａとが組になり、第１係合孔２３Ｂと第２係合孔２１Ｂとが組になり、第１係合孔２３Ｃと第２係合孔２１Ｃとが組になり、第１係合孔２３Ｄと第２係合孔２１Ｄとが組になる。
【００３０】
板パッド２０に形成される４つの第１係合孔２３Ａ〜２３Ｄのうち第１係合孔２３Ａが基準係合孔である。基準係合孔は、パレット１０との相対位置が予め定められている。基準係合孔である第１係合孔２３Ａは板パッド２０に形成されているので、基準係合孔である第１係合孔２３Ａがパレット１０と予め定められた相対位置になる状態で、板パッド２０とパレット１０との相対位置が定まる。したがって、基準係合孔である第１係合孔２３Ａが第１位置決め部１５Ａと予め定められた相対位置になる状態で、板パッド２０がパレット１０からはみ出すことがないように、基準係合孔である第１係合孔２３Ａの板パッド２０における位置が決定される。
【００３１】
板パッド２０は、基準係合孔である第１係合孔２３Ａと組になる第２係合孔２１Ａ以外の第２係合孔２１Ｂ〜２１Ｄそれぞれの周縁から延びるスリット２５Ｂ〜２５Ｄが形成される。スリット２５Ｂは、第２係合孔２１Ｂの周縁の４ケ所から第２係合孔２１Ｂと組なる第１係合孔２３Ｂと反対側に伸びる。スリット２５Ｃは、第２係合孔２１Ｃの周縁の４ケ所から第２係合孔２１Ｃと組なる第１係合孔２３Ｃと反対側に伸びる。スリット２５Ｄは、第２係合孔２１Ｄの周縁の４ケ所から第２係合孔２１Ｄと組になる第１係合孔２３Ｄと反対側に伸びる。なお、スリットの数は４つに限定するものではなく、１以上であればよい。
【００３２】
基準係合孔である第１係合孔２３Ａと組になる第２係合孔２１Ａは、後述するように、緩衝材３０Ａの第２係合凸部３１Ａが挿入される。第２係合孔２１Ａは、第２係合凸部３１Ａが第１係合孔２３Ａと反対の方向に移動可能なように、第１係合孔２３Ａと第２係合孔２１Ａとを結ぶ方向のサイズが第２係合凸部３１Ａよりも大きい。
【００３３】
緩衝材３０Ａ〜３０Ｄそれぞれの下面には、図４に緩衝材３０Ａを例に斜視図で示すように、第２係合孔２１Ａ〜２１Ｄのいずれかに挿入される第２係合凸部３１Ａと、第１係合孔２３Ａ〜２３Ｄのいずれかを貫通する第１係合凸部３３Ａとを有する。４つの第２係合凸部３１Ａ〜３１Ｄは、４つの第１係合凸部３３Ａ〜３３Ｄより短い。
【００３４】
さらに、緩衝材３０Ａは、底面から上方に伸びる側壁３５Ａを有する。緩衝材３０Ａは、側壁３５Ａを有するので、製品１００の横方向の移動を制限することができる。さらに、外装箱４０が被せられた状態では、緩衝材３０Ａ〜３０Ｄそれぞれの側壁３５Ａは、外装箱４０の側面によって横方向の移動が制限される。このため、製品１００が横方向に移動する力を受ける場合、緩衝材３０Ａ〜３０Ｄそれぞれの側壁３５Ａが製品１００から横方向に力を受けるが、側壁３５Ａは外装箱４０の側面によって支えられるので、製品１００から受ける力を側壁２５Ａだけでなく、側壁２５Ａと外装箱４０の側面とで受け止める。
【００３５】
図５は、パレット、板パッドおよび４つの緩衝材を組み合わせた状態をパレットの下方から見た図である。なお、説明のために、パレット１０は、２つの角材１３Ａ，１３Ｂと、６枚の板材１１Ａ〜１１Ｆのみを示している。
【００３６】
ここで、角材１３Ａの角材１３Ｂと向かい合う側面を第１側面１６Ａといい、角材１３Ｂの角材１３Ａの第１側面１６Ａと向かい合う側面を第２側面１６Ｂという。また、板材１１Ａの板材１１Ｂと向かい合う側面を第３側面１７Ａといい、板材１１Ｄの板材１１Ｃと向かい合う側面を第４側面１７Ｂという。
【００３７】
パレット１０は、第１側面１６Ａ、第２側面１６Ｂ、第３側面１７Ａおよび第４側面１７Ｂの２つを組み合わせた第１〜第４位置決め部１５Ａ〜１５Ｄが形成される。第１位置決め部１５Ａは、第１側面１６Ａと第３側面１７Ａとを抑止面として含む。第２位置決め部１５Ｂは、第２側面１６Ｂと第３側面１７Ａとを抑止面として含む。第３位置決め部１５Ｃは、第２側面１６Ｂと第４側面１７Ｂとを抑止面として含む。第４位置決め部１５Ｄは、第１側面１６Ａと第４側面１７Ｂとを抑止面として含む。第１〜第４位置決め部１５Ａ〜１５Ｄは、対角に位置する２つの対が同じ組に分類される。具体的には、第１位置決め部１５Ａと第３位置決め部１５Ｃとが第１組になり、第２位置決め部１５Ｂと第４位置決め部１５Ｄとが第２組になる。
【００３８】
第１組において、第１位置決め部１５Ａは、抑止面として第１側面１６Ａと第３側面１７Ａとを有し、第３位置決め部１５Ｃは、抑止面として第２側面１６Ｂと第４側面１７Ｂとを有する。第１位置決め部１５Ａの第１側面１６Ａと第３位置決め部１５Ｃの第２側面１６Ｂとは対向する位置関係にあり、第１位置決め部１５Ａの第３側面１７Ａと第３位置決め部１５Ｃの第４側面１７Ｂとは対向する位置関係にある。
【００３９】
第２組において、第２位置決め部１５Ｂは、抑止面として第２側面１６Ｂと第３側面１７Ａとを有し、第４位置決め部１５Ｄは、抑止面として第１側面１６Ａと第４側面１７Ｂとを有する。第２位置決め部１５Ｂの第２側面１６Ｂと第４位置決め部１５Ｄの第１側面１６Ａとは対向する位置関係にあり、第２位置決め部１５Ｂの第３側面１７Ａと第４位置決め部１５Ｄの第４側面１７Ｂとは対向する位置関係にある。
【００４０】
板パッド２０に形成される基準係合孔である第１係合孔２３Ａは、第１〜第４位置決め部１５Ａ〜１５Ｄとの相対位置が予め定められている。したがって、基準係合孔である第１係合孔２３Ａは、パレット１０との相対位置が予め定められている。
【００４１】
ここで、図５に示した状態まで梱包装置１を組み立てまでの種々の段階を順に説明する。まず、パレット１０の上に板パッド２０を載置し、緩衝材３０Ａを、基準係合孔である第１係合孔２３Ａと第２係合孔２１Ａとに組み付ける。この場合、緩衝材３０Ａの第１係合凸部３３Ａが第１係合孔２３Ａに、第２係合凸部３１Ａが第２係合孔２１Ａにそれぞれ挿入される。第２係合孔２１Ａは第２係合凸部３１Ａよりもサイズが大きく、第１係合孔２３Ａは第１係合凸部３３Ａよりもサイズが大きいため、この段階では、緩衝材３０Ａと板パッド２０との相対位置、およびパレット１０と板パッド２０との相対位置は定まらない。
【００４２】
次に、緩衝材３０Ｃを、第１係合孔２３Ａと対角に位置する第１係合孔２３Ｃと第２係合孔２１Ｃとに組み付ける。この場合、緩衝材３０Ｃの第２係合凸部３１Ｃを第２係合孔２１Ｃに挿入するより前に、第１係合凸部３３Ｃを第１係合孔２３Ｃに挿入するようにする。第１係合孔２３Ｃは第１係合凸部３３Ｃよりもサイズが大きいため、第１係合凸部３３Ｃは第１係合孔２３Ｃを貫通して板パッドの下方に突出し、パレット１０の第３位置決め部１５Ｃに当接する。この状態で、第２係合凸部３１Ｃを第２係合孔２１Ｃに押し込むと、第１係合凸部３３Ｃが第３位置決め部１５Ｃの第２側面１６Ｂおよび第４側面１７Ｂに当接しているので、第２係合凸部３１Ｃが板パッド２０を第２係合孔２１Ｃで、第１係合孔２３Ｃから第２係合孔２１Ｃに向かう方向に押す力が働く。これにより、板パッド２０が、第１係合孔２３Ｃから第２係合孔２１Ｃに向かう方向に移動する。
【００４３】
一方、緩衝材３０Ａの第１係合凸部３３Ａが第１係合孔２３Ａを貫通しているので、板パッド２０が、第１係合孔２３Ｃから第２係合孔２１Ｃに向かう方向に移動すると、第１係合凸部３３Ａが第１位置決め部１５Ａの第１側面１６Ａと第３側面１７Ａに当接することにより、緩衝材３０Ａとパレット１０との相対位置が確定する。また、板パッド２０の移動は、第１係合孔２３Ａが第１係合凸部３３Ａに当接することにより規制される。
【００４４】
板パッド２０の移動が規制された後は、スリット２５Ｃが変形することにより、第２係合凸部３１Ｃが第２係合孔２１Ｃに挿入される。これにより、緩衝材３０Ｃとパレット１０との相対位置が決定される。この段階では、スリット２５Ｃの復元力によって、緩衝材３０Ｃの第２係合凸部３１Ｃがスリット２５Ｃから第１係合孔２３Ｃに向かう方向の力を受けるとともに、その反力として、緩衝材３０Ａの第１係合凸部３３Ａがスリット２５Ｃから第１係合凸部３３Ａに向かう方向に力を受ける。このため、緩衝材３０Ｃの第１係合凸部３３Ｃが第３位置決め部１５Ｃに向かう方向の力と、緩衝材３０Ａの第１係合凸部３３Ａが第１位置決め部１５Ａに向かう方向の力と、が釣り合う。
【００４５】
緩衝材３０Ａの第１係合凸部３３Ａがスリット２５Ｃから受ける力は、第１位置決め部１５Ａの第１側面１６Ａおよび第３側面１７Ａそれぞれに垂直に向かう成分の力の成分を含む。同様に、緩衝材３０Ｃの第１係合凸部３３Ｃがスリット２５Ｃから受ける力は、第３位置決め部１５Ｃの第２側面１６Ｂおよび第４側面１７Ｂそれぞれに垂直に向かう成分の力の成分を含む。
【００４６】
次に、緩衝材３０Ｂ，３０Ｄのいずれかを順に組み付ける。例えば、緩衝材３０Ｂの第２係合凸部３１Ｂを第２係合孔２１Ｂに挿入するより前に、第１係合凸部３３Ｂを第１係合孔２３Ｂに挿入するようにする。第１係合孔２３Ｂは第１係合凸部３３Ｂよりもサイズが大きいため、第１係合凸部３３Ｂは第１係合孔２３Ｂを貫通して板パッドの下方に突出し、パレット１０の第２位置決め部１５Ｂに当接する。この状態で、第２係合凸部３１Ｂを第２係合孔２１Ｂに押し込むと、第１係合凸部３３Ｂが第２位置決め部１５Ｂの第２側面１６Ｂおよび第３側面１７Ａに当接しており、板パッド２０とパレット１０との相対位置が決定しているので、スリット２５Ｂが変形して第２係合凸部３１Ｂが第２係合孔２１Ｂに挿入される。これにより、緩衝材３０Ｂとパレット１０との相対位置が決定される。この状態では、スリット２５Ｂの復元力によって、緩衝材３０Ｂの第２係合凸部３１Ｂがスリット２５Ｂから第１係合孔２３Ｂに向かう方向の力を受ける。
【００４７】
最後に、緩衝材３０Ｄの第２係合凸部３１Ｄを第２係合孔２１Ｄに挿入するより前に、第１係合凸部３３Ｄを第１係合孔２３Ｄに挿入するようにする。第１係合孔２３Ｄは第１係合凸部３３Ｄよりもサイズが大きいため、第１係合凸部３３Ｄは第１係合孔２３Ｄを貫通して板パッドの下方に突出し、パレット１０の第４位置決め部１５Ｄに当接する。この状態で、第２係合凸部３１Ｄを第２係合孔２１Ｄに押し込むと、第１係合凸部３３Ｄが第４位置決め部１５Ｄの第１側面１６Ａおよび第４側面１７Ｂに当接しており、板パッド２０とパレット１０との相対位置が決定しているので、スリット２５Ｄが変形して第２係合凸部３１Ｄが第２係合孔２１Ｃに挿入される。これにより、緩衝材３０Ｄとパレット１０との相対位置が決定される。この状態では、スリット２５Ｄの復元力によって、緩衝材３０Ｄの第２係合凸部３１Ｄがスリット２５Ｄから第１係合孔２３Ｄに向かう方向の力を受ける。
【００４８】
緩衝材３０Ｂの第１係合凸部３３Ｂがスリット２５Ｂから受ける力は、第２位置決め部１５Ｂの第２側面１６Ｂおよび第３側面１７Ａそれぞれに垂直に向かう成分の力を含む。また、緩衝材３０Ｄの第１係合凸部３３Ｄがスリット２５Ｄから受ける力は、第４位置決め部１５Ａの第１側面１６Ａおよび第４側面１７Ｂそれぞれに垂直に向かう成分の力を含む。
【００４９】
以上説明したように、本実施の形態における梱包装置１は、パレット１０と、パレット１０上に載置される板パッド２０と、板パッド２０の上に配置される緩衝材３０Ａ〜３０Ｄと、を備え、パレット１０は、板パッド２０と接する上面より下方に位置決め部１５Ａ〜１５Ｄを有し、緩衝材３０Ａ〜３０Ｄそれぞれの第１係合凸部３３Ａ〜３３Ｄは、板パッド２０に形成された第１係合孔２３Ａ〜２３Ｄのいずれを貫通して位置決め部１５Ａ〜１５Ｄのいずれかに係合する。このため、第１係合凸部３３Ａ〜３３Ｄそれぞれが位置決め部１５Ａ〜１５Ｄのいずれかに係合するので、緩衝材３０Ａ〜３０Ｄは第１係合凸部３３Ａ〜３３Ｄで板パッド２０に平行な方向の移動が制限される。第１係合凸部３３Ａ〜３３Ｄが緩衝材３０Ａ〜３０Ｄそれぞれの底面に設けられるので、緩衝材３０Ａ〜３０Ｄにおいて、外力を受ける位置と第１係合凸部３３Ａ〜３３Ｄとの距離をできるだけ大きくすることができる。例えば、緩衝材３０Ａの外力を受ける位置、例えば、側壁３５Ａから第１係合凸部３３Ａまでの間の部分が弾性変形することにより外力を減衰させて、側壁３５Ａが製品１００から受ける力を低減することができる。さらに、第１係合凸部３３Ａが弾性変形することによって、緩衝材３０Ａが板パッド２０に対して板パッド上を滑る。これにより、外力を減衰させて、側壁３５Ａが製品１００から受ける力を低減することができる。また、緩衝材３０Ａの底面と板パッド２０との間の摩擦力によって、第１係合凸部３３Ａが受ける力を低減することができ、第１係合凸部３３Ａに加わる力を低減することができる。これにより、緩衝材３０Ａ〜３０Ｄが製品１００から受ける外力により破損しにくくすることができる。さらに、緩衝材３０Ａ〜３０Ｄを破損しにくくして、製品１００を保護する能力をできるだけ維持することができる。さらに、側壁３５Ａが製品１００から外力を受ける場合に、外装箱４０の側面に側壁３５Ａが当接するので、製品１００から受ける外力を、側壁３５Ａだけでなく、外装箱４０の側面で受けることができるので、製品１００から受ける外力を分散して、側壁３５Ａが受ける力を小さくすることができる。さらに、万が一、製品１００から受ける外力により、緩衝材３０Ａ〜３０Ｄの少なくとも１つ、例えば緩衝材３０Ａの係合凸部３３Ａが破損しても緩衝材３０Ａの側壁３５Ａは破損しないので、緩衝材３０Ａは緩衝機能を維持することができる。
【００５０】
また、第１位置決め部１５Ａは第３位置決め部１５Ｃと組になり、第１位置決め部１５Ａの抑止面としての第１側面１６Ａと第３位置決め部１５Ｃの抑止面としての第２側面１６Ｂとが対向し、第１位置決め部１５Ａの抑止面としての第３側面１７Ａと第３位置決め部１５Ｃの抑止面としての第４側面１７Ｂとが対向する。また、第２位置決め部１５Ｂは第４位置決め部１５Ｄと組になり、第２位置決め部１５Ｂの抑止面としての第２側面１６Ｂと第４位置決め部１５Ｄの抑止面としての第１側面１６Ａとが対向し、第２位置決め部１５Ｂの抑止面としての第３側面１７Ａと第４位置決め部１５Ｄの抑止面としての第４側面１７Ｂとが対向する。緩衝材３０Ａ〜３０Ｄそれぞれの第１係合凸部３３Ａ〜３３Ｄ、例えば、緩衝材３０Ａの第１係合凸部３３Ａを位置決め部１５Ａの抑止面である第１側面１６Ａおよび第３側面１７Ａに当接させるために、緩衝材３０Ａまたは緩衝材３０Ｃの少なくとも１つ、ここでは緩衝材３０Ｃを、それが係合する位置決め部１５Ｃが有する第２側面１６Ｂおよび第４側面１７Ｂと交差する方向に付勢する。このため、位置決め部１５Ａが有する第１側面１６Ａに緩衝材３０Ａを付勢するとともに、位置決め部１５Ｃが有する第２側面１６Ｂに緩衝材３０Ｃを付勢することができ、位置決め部１５Ａが有する第３側面１７Ａに緩衝材３０Ａを付勢するとともに、位置決め部１５Ｃが有する第４側面１７Ｂに緩衝材３０Ｃを付勢することができる。このため、複数の緩衝材３０Ａ〜３０Ｄとパレット１０との相対位置を適切に決定することができる。
【００５１】
また、第１係合孔２３Ａ〜２３Ｄは、緩衝材３０Ａ〜３０Ｄそれぞれの第１係合凸部３３Ａ〜３３Ｄよりもサイズが大きく、緩衝材３０Ａ〜３０Ｄそれぞれの第２係合凸部３１Ａ〜３１Ｄが第２係合孔２１Ａ〜２１Ｄのいずれかに挿入されることにより、第１係合凸部３３Ａ〜３３Ｄそれぞれが位置決め部１５Ａ〜１５Ｄのいずれかに係合するように第２係合孔２１Ａ〜２１Ｄの位置が定められる。第２係合凸部３１Ａ〜３１Ｄが第２係合孔２１Ａ〜２１Ｄのいずれかに挿入されると、緩衝材３０Ａ〜３０Ｄと板パッド２０との相対位置が決定される。また、第１係合凸部３３Ａ〜３３Ｄそれぞれが位置決め部１５Ａ〜１５Ｄのいずれかに係合するように第２係合孔２１Ａ〜２１Ｄの位置が定められるので、緩衝材３０Ａ〜３０Ｄとパレット１０との相対位置が決定される。このため、緩衝材３０Ａ〜３０Ｄによって、パレット１０と板パッド２０との相対位置が定まる。また、第１係合凸部３３Ａ〜３３Ｄがよりサイズの大きな第１係合孔２３Ａ〜２３Ｄのいずれかを貫通するので、板パッド２０と緩衝材３０Ａ〜３０Ｄとの相対位置が、第１係合凸部３３Ａ〜３３Ｄによる影響を受けることなく第２係合凸部３１Ａ〜３１Ｄおよび位置決め部１５Ａ〜１５Ｄにより定まるようにすることができる。したがって、緩衝材３０Ａ〜３０Ｄを板パッド２０に位置決めする作業を容易にすることができる。
【００５２】
また、第１係合孔２３Ａ〜２３Ｄのうち第１係合孔２３Ａは、パレット１０の位置決め部１５Ａ〜１５Ｄに対して相対位置が定められた基準係合孔なので、例えば、基準係合孔である第１係合孔２３Ａを貫通する緩衝材３０Ａが位置決め部１５Ａの抑止面に当接することによって、板パッド２０とパレット１０とが所定の相対位置になる。このため、板パッド２０、パレット１０および緩衝材３０Ａ〜３０Ｄが所定の相対位置となるようにすることができる。
【００５３】
第２係合孔２１Ｂと第１係合孔２３Ｂとは、それらに対応する緩衝材３０Ｂが付勢される方向と平行な直線上に配置され、第２係合孔２１Ｃと第１係合孔２３Ｃとは、それらに対応する緩衝材３０Ｃが付勢される方向と平行な直線上に配置され、第２係合孔２１Ｄと第１係合孔２３Ｄとは、それらに対応する緩衝材３０Ｄが付勢される方向と平行な直線上に配置される。このため、緩衝材３０Ｂ〜３０Ｄに付勢される力を効率的に利用することができる。
【００５４】
また、一対の位置決め部、例えば、第１位置決め部１５Ａと第３位置決め部１５Ｃにそれぞれ対応する第２係合孔２３Ａ，２３Ｃの少なくとも１つである第２係合孔２３Ｃの周縁から第２係合孔２３Ｃに対応する位置決め部１５Ｃと反対側に伸びるスリット２５Ｃが、板パッド２０に形成されるので、緩衝材３０Ａ，３０Ｃそれぞれの第２係合凸部３３Ａ，３３Ｃが第２係合孔２３Ａ，２３Ｃにそれぞれ挿入される段階で、板パッド２０がスリット２５Ｃの形成された部分で変形するが、板パッド２０の復元力によって、緩衝材３０Ｃの第２係合凸部３１Ｃが位置決め部１５Ｃに向かって付勢されるので、緩衝材３０Ａ，３０Ｃを一対の位置決め部１５Ａ，１５Ｃそれぞれの対向する抑止面に当接させることができる。
【００５５】
＜第１の変形例＞
一対の位置決め部、例えば、第１位置決め部１５Ａと第３位置決め部１５Ｃにそれぞれ対応する第２係合孔２１Ａ，２１Ｃと第１係合孔２３Ａ，２３Ｃとは、同一直線上に配置するのが好ましい。同様に、一対の位置決め部、第２位置決め部１５Ｂと第４位置決め部１５Ｄにそれぞれ対応する第２係合孔２１Ｂ，２１Ｄと第１係合孔２３Ｂ，２３Ｄとは、同一直線上に配置するのが好ましい。これにより、偶力の発生を防止して、板パッド２０がパレット１０に対して回転ズレをしないようにすることができる。
【００５６】
＜第２の変形例＞
第２係合孔２１Ａ〜２１Ｄは、パレット１０の位置決め部１５Ａ〜１５Ｄに対して相対位置が定められた少なくとも１つの第２基準係合孔を有するようにしてもよい。なお、この場合には、第１係合孔２３Ａを基準係合孔にする必要はない。
【００５７】
例えば、第２係合孔２１Ａを第２基準係合孔とするようにしてもよい。第２基準係合孔である第２係合孔２１Ａが位置決め部１５Ａに対して相対位置が定められるので、第２基準係合孔である第２係合孔２１Ａによって板パッド２０との相対位置が定まる緩衝材３０Ａが位置決め部１５Ａの抑止面に当接することによって、板パッド２０とパレット１０とが所定の相対位置になる。このため、板パッド２０、パレット１０および緩衝材３０Ａ〜３０Ｄが所定の相対位置となるようにすることができる。
【００５８】
＜第３の変形例＞
上述した実施の形態においては、第１係合凸部３３Ａ〜３３Ｄの断面形状を矩形としたが、断面形状は矩形に限られない。第３の変形例においては、第１係合凸部３３Ａ〜３３Ｄの断面形状を円形としたものである。
【００５９】
図６は、第３の変形例における板パッドの平面図である。図６を参照して、図３に示した平面図と比較して、第１係合孔２３Ａが、円形の第１係合孔２６Ａに変更され、第１係合孔２３Ｂ〜２３Ｄが、楕円形の第１係合孔２６Ｂ〜２６Ｄに変更されている。
【００６０】
＜第４の変形例＞
第１係合凸部３３Ａ〜３３Ｄが、第２係合凸部３１Ａ〜３１Ｄを兼ねるようにしてもよい。この場合、緩衝材３０Ａ〜３０Ｄそれぞれは、第１係合凸部３３Ａ〜３３Ｄのみを有し、第２係合凸部３１Ａ〜３１Ｄは不要である。
【００６１】
図７は、第４の変形例における板パッドの平面図である。図７を参照して、第４の変形例における板パッド２０Ａは、４つの緩衝材３０Ａ〜３０Ｄそれぞれに対応する４つの係合孔２７Ａ〜２７Ｄが形成されている。４つの係合孔２７Ａ〜２７Ｄのうち係合孔２７Ａが基準係合孔である。基準係合孔は、パレット１０との相対位置が予め定められている。基準係合孔である係合孔２７Ａは板パッド２０Ａに形成されているので、基準係合孔である係合孔２７Ａがパレット１０と予め定められた相対位置になる状態で、板パッド２０Ａとパレット１０との相対位置が定まる。したがって、基準係合孔である第１係合孔２７Ａが第１位置決め部１５Ａと予め定められた相対位置になる状態で、板パッド２０Ａがパレット１０からはみ出すことがないように、基準係合孔である係合孔２７Ａの板パッド２０Ａにおける位置が決定される。
【００６２】
板パッド２０Ａは、基準係合孔である係合孔２７Ａ以外の係合孔２７Ｂ〜２７Ｄそれぞれの周縁から延びるスリット２８Ｂ〜２８Ｄが形成される。スリット２８Ｂは、係合孔２７Ｂの周縁の５ケ所から係合孔２７Ｂに対応する第２位置決め部１５Ｂと反対側に伸びるように板パッド２０Ａに形成される。スリット２８Ｃは、係合孔２７Ｃの周縁の５ケ所から係合孔２７Ｃに対応する第３位置決め部１５Ｃと反対側に伸びるように板パッド２０Ａに形成される。スリット２８Ｄは、係合孔２７Ｄの周縁の５ケ所から係合孔２７Ｄに対応する第４位置決め部１５Ｄと反対側に伸びるように板パッド２０Ａに形成される。なお、スリット２８Ｂ〜２８Ｄの数は５つに限定するものではなく、１以上であればよい。
【００６３】
パレット１０の上に板パッド２０Ａを載置し、緩衝材３０Ａを、基準係合孔である係合孔２７Ａに組み付ける。この場合、緩衝材３０Ａの第１係合凸部３３Ａが係合孔２７Ａに挿入される。この段階では、緩衝材３０Ａと板パッド２０Ａとの相対位置、およびパレット１０と板パッド２０Ａとの相対位置は定まらない。
【００６４】
次に、緩衝材３０Ｃを、係合孔２７Ａと対角に位置する係合孔２７Ｃに組み付ける。係合凸部３３Ｃを係合孔２７Ｃに押し込むと、係合凸部３３Ｃが第３位置決め部１５Ｃの第２側面１６Ｂおよび第４側面１７Ｂに当接し、係合凸部３３Ｃが板パッド２０Ａを係合孔２７Ｃで、第３位置決め部１５Ｃから係合孔２７Ｃに向かう方向に押す力が働く。これにより、板パッド２０Ａが、第３位置決め部１５Ｃから係合孔２７Ｃに向かう方向に移動する。
【００６５】
一方、緩衝材３０Ａの第１係合凸部３３Ａが係合孔２７Ａを貫通しているので、板パッド２０Ａが、係合孔２７Ａが第１係合凸部３３Ａに当接するまで、第３位置決め部１５Ｃから係合孔２７Ｃに向かう方向に移動すると、係合凸部３３Ａが第１位置決め部１５Ａの第１側面１６Ａと第３側面１７Ａに当接することにより、緩衝材３０Ａとパレット１０との相対位置が確定する。また、板パッド２０Ａの移動は、係合孔２７Ａが第１係合凸部３３Ａに当接することにより規制される。
【００６６】
板パッド２０Ａの移動が規制された後は、スリット２８Ｃが変形して係合凸部３１Ｃが係合孔２７Ｃに挿入される。これにより、緩衝材３０Ｃとパレット１０との相対位置が決定される。この状態では、スリット２８Ｃの復元力によって、緩衝材３０Ｃの係合凸部３１Ｃがスリット２８Ｃから係合孔２７Ｃに向かう方向の力を受けるとともに、その反力として、緩衝材３０Ａの係合凸部３３Ａがスリット２８Ｃから係合凸部３３Ａに向かう方向に力を受ける。このため、緩衝材３０Ｃの係合凸部３３Ｃが第３位置決め部１５Ｃに向かう方向の力と、緩衝材３０Ａの係合凸部３３Ａが第１位置決め部１５Ａに向かう方向の力と、が釣り合う。
【００６７】
次に、緩衝材３０Ｂ，３０Ｄのいずれかを順に組み付ける。例えば、緩衝材３０Ｂの係合凸部３３Ｂを係合孔２７Ｂに押し込むと、板パッド２０Ａとパレット１０との相対位置が決定しているので、係合凸部３３Ｂが第２位置決め部１５Ｂの第２側面１６Ｂおよび第３側面１７Ａに当接し、スリット２８Ｂが変形して係合凸部３３Ｂが係合孔２７Ｂに挿入される。これにより、緩衝材３０Ｂとパレット１０との相対位置が決定される。この状態では、スリット２８Ｂの復元力によって、緩衝材３０Ｂの係合凸部３３Ｂがスリット２８Ｂから第２位置決め部１５Ｂに向かう方向の力を受ける。
【００６８】
最後に、緩衝材３０Ｄの係合凸部３３Ｄを係合孔２７Ｄに挿入するようにする。係合凸部３３Ｄを係合孔２７Ｄに押し込むと、板パッド２０Ａとパレット１０との相対位置が決定しているので、係合凸部３３Ｄが第４位置決め部１５Ｄの第１側面１６Ａおよび第４側面１７Ｂに当接し、スリット２８Ｄが変形して係合凸部３３Ｄが係合孔２７Ｄに挿入される。これにより、緩衝材３０Ｄとパレット１０との相対位置が決定される。この状態では、スリット２８Ｄの復元力によって、緩衝材３０Ｄの係合凸部３３Ｄがスリット２８Ｄから第４位置決め部１５Ｄに向かう方向の力を受ける。
【００６９】
第４の変形例に変形例における梱包装置は、緩衝材３０Ａ〜３０Ｄそれぞれが、板パッド２０Ａにたいした回転可能となっているが、上述した実施の形態における梱包装置１と同様の効果を奏することができる。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７１】
＜付記＞
（１）  前記付勢手段は、前記一対の位置決め部にそれぞれ対応する一対の前記係合孔の少なくとも１つの周縁から、当該係合孔に対応する前記位置決め部と反対側に伸びるように前記板パッドに形成されるスリットを含む、請求項３に記載の梱包装置。
（２）  前記複数の第２係合凸部は、前記複数の第１係合凸部より短い、請求項４に記載の梱包装置。
（３）  前記付勢手段は、前記一対の位置決め部にそれぞれ対応する２つの前記第２係合孔の少なくとも１つの周縁から、当該第２係合孔に対応する前記第１係合孔とは反対側に伸びるように前記板パッドに形成されるスリットを含む、請求項４〜６のいずれかに記載の梱包装置。
この局面に従えば、一対の位置決め部とそれぞれ係合する２つの緩衝材それぞれの第２係合凸部が第２係合孔に挿入される段階で、板パッドがスリットの形成された部分で変形するが、板パッドの復元力によって、２つの緩衝材の少なくとも１つの第２係合凸部が第１係合孔に向かう方向に付勢される。このため、２つの緩衝材それぞれの第１係合凸部を２つの位置決め部それぞれの対向する抑止面に当接させることができる。
【符号の説明】
【００７２】
１  梱包装置、１０  パレット、１１Ａ〜１１Ｆ  板材、１３Ａ，１３Ｂ  角材、１５Ａ〜１５Ｄ  第１〜第４位置決め部、１６Ａ  第１側面、１６Ｂ  第２側面、１７Ａ  第３側面、１７Ｂ  第４側面、２０，２０Ａ  板パッド、２１Ａ〜２１Ｄ  第２係合孔、２３Ａ〜２３Ｄ，２６Ａ〜２６Ｄ  第１係合孔、２５Ｂ〜２５Ｄ，２８Ｂ〜２８Ｄ  スリット、２７Ａ〜２７Ｄ  係合孔、３０Ａ〜３０Ｄ  緩衝材、３１Ａ〜３１Ｄ  第２係合凸部、３３Ａ〜３３Ｄ  第１係合凸部、３５Ａ  側壁、４０  外装箱。
【図１】
2019026290.tif 000003
【図２】
2019026290.tif 000004
【図３】
2019026290.tif 000005
【図４】
2019026290.tif 000006
【図５】
2019026290.tif 000007
【図６】
2019026290.tif 000008
【図７】
2019026290.tif 000009
【図８】
2019026290.tif 000010
【図９】
2019026290.tif 000011